(57)【要約】【課題】安全性に関する課題、生産性に関する課題、並びに被包装物に悪影響を及ぼしやすい、という課題を解消する。【解決手段】キャップフィルム２Ｃ、バックフィルム２Ｂからなる２層の気泡シート２あるいはキャップフィルム２Ｃ、バックフィルム２Ｂ、ライナーフィルム２Ｌからなる３層の気泡シート２を主体に構成され、この気泡シートにおける平坦なフィルムの一方または両方に、その流れ方向に沿って、前記気泡シート２より小さい巾の粘着フィルム３を１本または複数本ラミネートする。【選択図】図１
2010111409.tif 000002
【特許請求の範囲】
【請求項１】
キャップフィルム、バックフィルムからなる２層の気泡シートあるいはキャップフィルム、バックフィルム、ライナーフィルムからなる３層の気泡シートを主体に構成され、この気泡シートにおける平坦なフィルムの一方または両方に、その流れ方向に沿って、前記気泡シートより小さい巾の粘着フィルムを１本または複数本ラミネートしたことを特徴とする包装用気泡シート体。
【請求項２】
前記粘着フィルムのラミネート領域の割合が全領域の３％ないし２５％である請求項１記載の包装用気泡シート体。
【請求項３】
前記気泡シートが、さらにその巾方向に沿って粘着層を設けている請求項１または２記載の包装用気泡シート体。
【請求項４】
気泡シートが四角形のものであり、その気泡シートにおける流れ方向の一辺に沿って、粘着フィルムをラミネートしている請求項１、２または３記載の包装用気泡シート体。
【請求項５】
請求項１、２または３記載の包装用気泡シート体を用いて作られた包装用袋であって、封止した場合に前記粘着フィルムの全面が気泡シートの構成フィルムに接着され得るように構成し、被包装物の収容空間に粘着フィルムが露出しないようにしたことを特徴とする包装用袋。
【請求項６】
請求項１、２または３記載の包装用気泡シート体を用いて作られた包装用箱であって、封止した場合に前記粘着フィルムの全面が気泡シートの構成フィルムに接着され得るように構成し、被包装物の収容空間に粘着フィルムが露出しないようにしたことを特徴とする包装用箱。
【請求項７】
キャップシート、バックシート、ライナーシートからなる３層の気泡ボードを主体に構成され、この気泡ボードにおける平坦なシートの一方または両方に、その流れ方向に沿って、前記気泡ボードより小さい巾の粘着フィルムを１本または複数本ラミネートしたことを特徴とする包装用気泡ボード体。
【請求項８】
前記粘着フィルムのラミネート領域の割合が全領域の３％ないし２５％である請求項７記載の包装用気泡ボード体。
【請求項９】
前記気泡ボードが、さらにその巾方向に沿って粘着層を設けている請求項７または８記載の包装用気泡ボード体。
【請求項１０】
請求項７、８または９記載の包装用気泡ボード体を用いて作られた包装用箱であって、封止した場合に前記粘着フィルムの全面が気泡ボードの構成シートに接着され得るように構成し、被包装物の収容空間に粘着フィルムが露出しないようにしたことを特徴とする包装用箱。
【発明の詳細な説明】
【技術分野】
【０００１】
本発明は、包装に使用される気泡シート体及び気泡ボード体に関するものである。
【背景技術】
【０００２】
包装用部材として気泡シートは多用されている。この気泡シートによって内容物を容易に梱包する為に当該気泡シートの平坦な部分に粘着剤を塗布したり、粘着フィルムを貼り合わせて粘着性を付与したものは以前より知られていた。
【０００３】
この中で粘着剤を気泡シートに直に塗布する方法（例えば、特許文献１）は、粘着剤の乾燥にかなり長時間の加熱が必要であり、その乾燥時間を稼ぐ為に生産スピードが落ちたり、加熱によって基材の気泡シートを損ねたりするので好ましくない。また、加熱温度が低く、乾燥時間が短くてすむ有機溶剤系の粘着剤はその発生する気体が人体に有害であり、換気装置が大掛かりになるという問題があった。一方、粘着フィルムを不用意に貼った場合生産性は良くなるが、包装に使用した場合に前記粘着フィルムが被包装物に付着しやすくなるという不具合を招きやすい。特に、この種の粘着フィルムは、紫外線により変質して軟化しやすく、被包装物に悪影響を及ぼしやすいという問題があった。
【特許文献１】特開２００５‐２０５８１８号公報
【発明の開示】
【発明が解決しようとする課題】
【０００４】
本発明は、以上のような事情に着目してなされたものであって、安全性に関する課題、生産性に関する課題、並びに被包装物に悪影響を及ぼしやすい、という課題を解消することができる包装用気泡シート体並びにその気泡シート体を用いた包装用袋及び包装用箱を提供するものである。
【課題を解決するための手段】
【０００５】
以上のような課題を解決するためになされた本発明に係る包装用気泡シート体は、キャップフィルム、バックフィルムからなる２層の気泡シートあるいはキャップフィルム、バックフィルム、ライナーフィルムからなる３層の気泡シートを主体に構成され、この気泡シートにおける平坦なフィルムの一方または両方に、その流れ方向に沿って、前記気泡シートより小さい巾の粘着フィルムを１本または複数本ラミネートしたことを特徴とする。
【０００６】
また、気泡シートの流れ方向とは、巾方向に対して直角方向に延びる長手方向のことを指し、この方向は巾方向に比べて、引き裂きにくいという性質を有する。
【０００７】
このようなものであれば、粘着フィルムを使用しているため、有機溶剤による危険性を排除しつつ、生産性を向上させることができる。特に、気泡シートよりも幅狭な粘着フィルムをその流れ方向にラミネートするようにしているので、気泡シートの製造過程において前記粘着フィルムを同時にラミネートすることが可能になって、効率よく生産することが可能になるだけでなく、包装に用いた場合に、被包装物に粘着フィルムが付着しにくくなる。
【０００８】
このような包装用気泡シート体の好適な態様としては、前記粘着フィルムのラミネート領域の割合が全領域の３％ないし２５％であるものを挙げることができる。
【０００９】
粘着フィルムのラミネート領域が２５％よりも大きいと、粘着フィルムの粘着層が被包装物に触れてしまう可能性が高くなる。さらに、粘着剤の塗布に比べて比較的高価な粘着フィルムのラミネート領域が大きくなれば、それに伴い経済的な優位性も失われることとなる。また、粘着フィルムのラミネート領域が３％よりも小さいと、粘着層が気泡シートと接触する部分が少なすぎることにより、必要とする粘着力を得られなくなる。
【００１０】
本発明の気泡シートを大型機械等の梱包や養生シートとして長尺で用いる場合には、一定の間隔をもって巾方向に沿って粘着層を設けることが好ましい。
【００１１】
包装に適した気泡シート体としては、気泡シートが四角形のものであり、その気泡シートにおける流れ方向の一辺に沿って、粘着フィルムをラミネートしたものを挙げることができる。
【００１２】
さらに、このような包装用気泡シート体を用いて、封止した場合に前記粘着フィルムの全面が気泡シートの構成フィルムに接着され得るように構成し、被包装物の収容空間に粘着フィルムが露出しないようにしたことを特徴とする包装用袋または包装用箱を作ることができる。すなわち、流れ方向に沿って少なくとも１本の粘着フィルムがラミネートされた気泡シートを利用して、包装用袋や包装用箱のそれぞれ粘着要素が必要な所にのみ粘着フィルムが配された加工品を作ることができる。
【００１３】
また、本発明に係る包装用気泡ボード体は、キャップシート、バックシート、ライナーシートからなる３層の気泡ボードを主体に構成され、この気泡ボードにおける平坦なシートの一方または両方に、その流れ方向に沿って、前記気泡ボードより小さい巾の粘着フィルムを１本または複数本ラミネートしたことを特徴とする。
【００１４】
ここで、気泡ボードとは、例えばポリプロピレン等の樹脂をダイスから溶融した状態で押し出したシートに、多数のキャップ状の突起を真空成形し、このキャップシートの底面と頂面にそれぞれ平坦なバックシート及びライナーシートを融着させて中空構造の板としてなる成型品をいい、気泡シートに比べて剛性を有する。
【００１５】
また、気泡ボードの流れ方向とは、巾方向に対して直角方向に延びる長手方向のことを指す。
【００１６】
このようなものであれば、粘着フィルムを使用しているため、有機溶剤による危険性を排除しつつ、生産性を向上させることができる。特に、気泡ボードよりも幅狭な粘着フィルムをその流れ方向にラミネートするようにしているので、包装に用いた場合に、被包装物に粘着フィルムが付着しにくくなる。
【００１７】
このような包装用気泡ボード体の好適な態様としては、前記粘着フィルムのラミネート領域の割合が全領域の３％ないし２５％であるものを挙げることができる。
【００１８】
本発明の気泡ボードを大型機械等の梱包や養生ボードとして長尺で用いる場合には、一定の間隔をもって巾方向に沿って粘着層を設けることが好ましい。
【００１９】
さらに、このような包装用気泡ボード体を用いて、封止した場合に前記粘着フィルムの全面が気泡ボードの構成シートに接着され得るように構成し、被包装物の収容空間に粘着フィルムが露出しない包装用箱を作ることができる。すなわち、流れ方向に沿って少なくとも１本の粘着フィルムがラミネートされた気泡ボードを利用して、包装用箱における粘着要素が必要な所にのみ粘着フィルムが配された加工品を作ることができる。
【発明の効果】
【００２０】
本発明によれば、安全かつ効率的に製造することができ、しかも、被包装物に粘着剤が接触することなく被包装物を包装することができる包装用気泡シート体並びにその気泡シート体を用いた包装用袋及び包装用箱を提供することができるものである。
【発明を実施するための最良の形態】
【００２１】
以下、本発明の実施の形態を、図面を参照して説明する。
【００２２】
この包装用気泡シート体１は、図１及び図２に示すように、多数の気泡２Ａ形成用突起を有してなるキャップフィルム２Ｃと、このキャップフィルム２Ｃの突起開放側に添着したバックフィルム２Ｂと、前記キャップフィルム２Ｃの突起先端側に添着したライナーフィルム２Ｌとからなる３層構造を有する気泡シート２と、前記ライナーフィルム２Ｌの流れ方向に沿ってラミネートされた１本の粘着フィルム３とを具備してなる。
【００２３】
前記気泡シート２は、キャップフィルム２Ｃ、バックフィルム２Ｂ及びライナーフィルム２Ｌからなる３層構造を有する従来品と同様であり、材料としては、常用のポリエチレンをはじめ、ポリプロピレンのようなポリオレフィン、エチレン‐酢酸ビニル共重合体、ナイロンそのほか他種類のプラスチックが使用できる。キャップフィルム２Ｃは、多数の円柱形状の突起を有している。バックフィルム２Ｂは、凹凸を有しない平坦なものであり、前記キャップフィルム２Ｃの突起開放側に添着されることにより、多数の密閉された気泡２Ａが形成される。この気泡２Ａは、形状が低い円柱形状であって、寸法は直径が６〜５０ｍｍ、高さが２〜３０ｍｍである。また、この気泡２Ａの配置は、流れ方向には千鳥状になっているが、巾方向には直線上に並んでいる。ライナーフィルム２Ｌは、凹凸を有しない平坦なものであり、前記キャップフィルム２Ｃの突起先端側に添着されることにより、キャップフィルム２Ｃを介して前記バックフィルム２Ｂとほぼ平行に配される。
【００２４】
気泡シート２の流れ方向とは、キャップフィルム２Ｃ、バックフィルム２Ｂ、ライナーフィルム２Ｌがそれぞれダイスから熱可塑化状態で真空形成ロールに押し出されるフィルムから成形され、押し出し行程で延伸される押し出し方向（言い換えれば、気泡シート２の長手方向）を指す。気泡シート２の流れ方向は、千鳥状に配した各キャップがほぼ円形であり、これらのキャップによってシートに方向性を持たせていないという要件とが相俟って、気泡シート２を流れ方向に引き裂こうとした場合に、引き裂き方向がシート体の流れ方向から免れるため、流れ方向に沿って直線上に引き裂くことは困難である。
【００２５】
前記粘着フィルム３は、両面に粘着層３２を有する従来品と同様の両面粘着フィルム３であり、例えば、ポリエステルを基材３１として、その基材３１の両面にアクリル系の粘着剤を均一に塗布した粘着層３２を有しており、さらにその粘着層３２の基材３１と相対する面に、粘着層３２を保護し容易に剥離可能に構成される剥離層（図示しない）を有しているものである。粘着層３２の一方は、前記気泡シート２のバックシート２Ｂにラミネートされるときに気泡シート２の流れ方向に沿って付着される。粘着層３２の他方は、前記剥離層が粘着層３２に付着されている状態のまま前記気泡シート２にラミネートされ、被包装物９を包装する際にこの剥離層をはずして使用する。粘着層３２の他方は、被包装物９の大きさ及び形状や包装の仕方によって異なる部分に付着されることとなるが、粘着層３２は被包装物９に触れることのないように気泡シート２に付着される。より具体的には、この粘着層の他方は、その全面を気泡シート２の構成フィルムに接着し、被包装物９が収容されている空間に粘着フィルム３が露出しないように付着されるものである。
【００２６】
本実施形態においては、前記気泡シート２の巾寸法が１２００ｍｍに対して前記粘着フィルム３の巾寸法を５０ｍｍとしており、この粘着フィルム３を気泡シート２の流れ方向に沿って最側端に、気泡シート２の側端と粘着フィルム３の側端が一致するようにバックシート２Ｂに重なり合わせてラミネートしている。以下、気泡シート２において粘着フィルム３がラミネートされている部分を「ラミネート領域４」、ラミネート領域４と同じ面に存在するラミネートされていない部分を「非ラミネート領域５」と呼ぶ。
【００２７】
以下、上記実施形態における気泡シート２を用いた被包装物９の包装の仕方について記載する。
【００２８】
まず、図３に示すように、折り畳み形式による上包み包装６については、まず、上記実施形態で説明したバックフィルム２Ｂ側にラミネート領域４を有する気泡シート２を用意する。この気泡シート２は、四角形で流れ方向一辺に沿って粘着フィルム３をラミネートしてなる。この気泡シート２のバックフィルム２Ｂの上に、ラミネート領域４を避けて被包装物９を載置する。非ラミネート領域５端部の２つの角をそれぞれ被包装物９に向けて折り畳み、その後、もう一方のラミネート領域４端部の２つの角をそれぞれ被包装物９に向けて折り畳む。その際、粘着フィルム３の全面がライナーフィルム２Ｌに付着するように４つの角を折り重ねて封止する。このように包装することで、被包装物９に粘着フィルム３が触れないようにしつつ、被包装物９が上包み包装６の外部に容易に飛び出さない構造とする。
【００２９】
次に、図４に示すように、包装用袋７については、まず、上記実施形態で説明したバックフィルム２Ｂ側にラミネート領域４を有する気泡シート２を用意し、この気泡シート２における非ラミネート領域５の巾方向中心に沿って、非ラミネート領域５の他端部をラミネート領域４側へ二つ折りにする。当該折り部が包装用袋７の底部７１として機能する。二つ折りする際、非ラミネート領域５の他端部をラミネート領域４と非ラミネート領域５の境界に沿わせるように配すれば、被包装物９の密封度をより増すことができる。その後、二枚重なった気泡シート２の側縁部、すなわち気泡シート２の巾方向に沿ってヒートシール処理によって封止する。上述した方法により、非ラミネート領域５の他端部とバックフィルム２Ｂによって開口７３が形成され、ラミネート領域４が蓋７２として機能し、折り込まれたバックフィルム２Ｂが作る空間が収容空間７４として機能する包装用袋７を作成することができる。なお、図４では、説明の便宜上、包装用袋７のうちヒートシール処理が施された部分にパターンを付している。
【００３０】
この包装用袋７を用いて包装する際には、粘着フィルム３の全面がライナーフィルム２Ｌに付着するように蓋７２を折り重ねて封止する。このように包装することで、被包装物９に粘着フィルム３が触れないようにしつつ、被包装物９が包装用袋７の外部に容易に飛び出さない構造とする。
【００３１】
最後に、図５に示すように、包装用箱８について説明する。この包装用箱８は、底面部８１と、底面部８１から立ち上がる側面部８２と、側面部８２のうちの一面から連続して設けられる蓋部８３とを具備する。まず、上記実施形態で説明したバックフィルム２Ｂ側にラミネート領域４を有する気泡シート２を用意し、気泡シート２を図５の最左図のような形、具体的には気泡シート２を組み立てた際に箱の底面部８１となる部分がくびれた形に打ち抜く。次に底面部８１となる部分の巾方向中心に沿って二つ折りする。その後、二枚重なった気泡シート２の側縁部、すなわち気泡シート２の巾方向に沿ってヒートシール処理により封止する。また、側面部８２と底面部８１とがそれぞれ直角となるように、底面部８１を箱の蓋部８３の方へ押し上げ、底面部８１の側縁と側面部８２の底縁をヒートシール処理によって封止する。蓋部８３は、その３つの側縁を直角に立ち上げることにより、３次元形状とする。上述した方法により、４つの側面部８２の上方に開口８４が形成され、ラミネート領域４を一部に有した蓋部８３と、非ラミネート領域５のみによって囲まれる内部に収容空間８５を有する包装用箱８を作成することができる。なお、図５においても図４と同様に、包装用箱８のうちヒートシール処理が施された部分にパターンを付している。
【００３２】
この包装用箱８を用いて包装する際には、粘着フィルム３の全面がライナーフィルム２Ｌに付着するように蓋部８３を嵌め合わせて封止する。このように包装することで、被包装物９に粘着フィルム３が触れないようにしつつ、被包装物９が包装用箱８の外部に容易に飛び出さない構造とする。
【００３３】
このように、本実施形態に係る包装用気泡シート体１は、キャップフィルム２Ｃ、バックフィルム２Ｂ、ライナーフィルム２Ｌからなる３層の気泡シート２が四角形のものであり、その平坦なフィルムであるバックフィルム２Ｂの流れ方向一辺に沿って、気泡シート２より小さい巾の粘着フィルム３を１本ラミネートしているので、気泡シート２の全領域に粘着フィルム３を有していなくとも、また、巾方向に沿って粘着フィルム３を有していなくとも、被包装物９を包装することができる。また、粘着フィルム３の粘着層３２が被包装物９に触れることなく包装し得るため、被包装物９に粘着剤が付着する心配もなくなり、粘着剤の成分による被包装物９の変化や被包装物９を取り出す時の気泡シート２の破損を防ぐこともできる。
【００３４】
特に、粘着フィルム３をバックフィルム２Ｂの外面に気泡シート２の流れ方向に沿ってラミネートするため、従来から知られる気泡シート２の製造ラインの途中に、粘着フィルム３を気泡シート２の構成フィルムと同じ速度で漸次供給されるように構成された粘着フィルム３の供給装置を配することによって実施することができる点で実用的である。
【００３５】
バックフィルム２Ｂ及びライナーフィルム２Ｌのいずれの面に粘着フィルム３をラミネートするか、つまり、バックフィルム２Ｂ及びライナーフィルム２Ｌのいずれの面に被包装物９を配置させるかを選択することができ、その選択を被包装物９の性質等により行うことが可能となる。また、バックフィルム２Ｂ及びライナーフィルム２Ｌの材料を適宜選択することができるため、再生材料を使用する場合であっても、必要な面に新しい合成樹脂層を位置させることができる。そのため、安全性を高めることが容易であり、品質保証を行なうことも可能になる。
【００３６】
さらに、気泡シート２の主材料としてポリエチレンを用いたので、他の合成樹脂に比べて柔軟性及び可とう性に優れているため、被包装物９の形状にフィットしやすく、また、折り畳み形式による上包み包装６において折り曲げに耐えることができる。
【００３７】
また、気泡シート２の巾寸法が１２００ｍｍに対して粘着フィルム３の巾寸法が５０ｍｍとしており、ラミネート領域４の割合が全領域の約４％であるので、粘着フィルム３の粘着層３２が被包装物９に触れてしまう可能性がほとんどなく、また、被包装物９を包装するのに必要な粘着力が得られる。さらに、粘着剤の塗布に比べて比較的高価な粘着フィルム３のラミネート領域４を最小限に抑えることができるので、経済的な優位性も得られる。
【００３８】
また、気泡シート２の主材料としてポリエチレンを用いたので、他の合成樹脂に比べて柔軟性及び可とう性に優れているため気泡シート２の折り曲げに耐えることができ、このような包装用気泡シート体１を用いて、必要な部分に粘着フィルム３が配置される包装用袋７または包装用箱８に容易に加工することができる。つまり、流れ方向に沿って１本粘着フィルム３がラミネートされた気泡シート２を打ち抜き、袋の蓋７２及び箱の蓋部８３といった粘着要素が必要な所にのみ粘着フィルム３が配置され、それぞれの収容空間７４、８５に粘着フィルム３が露出しない加工品を作ることができる。
【００３９】
なお、本発明は、以上に詳述した実施形態に限られるものではなく、次のような形態も考えられる。
【００４０】
上記の包装用気泡シート体に替えて、この包装用気泡シート体に比べて剛性を有する包装用気泡ボード体を適用することができる。具体的には、包装用気泡ボード体が、多数の気泡形成用突起を有してなるキャップシートと、このキャップシートの突起開放側に添着したバックシートと、前記キャップシートの突起先端側に添着したライナーシートとからなる３層構造を有する気泡ボードと、前記ライナーシートの流れ方向に沿ってラミネートされた１本の粘着フィルムとを具備してなるものである。前記気泡ボードは、例えばポリプロピレン等の樹脂をダイスから溶融した状態で押し出したキャップシートに多数のキャップ状の突起を真空形成し、このキャップシートの底面と頂面にそれぞれ平坦なバックシート及びライナーシートを融着させて中空構造の板としているものである。
【００４１】
気泡ボードの流れ方向とは、キャップシートがダイスから熱可塑化状態で真空形成ロールに押し出されるフィルムから成形され、押し出し行程で延伸される押し出し方向（言い換えれば、気泡ボードの長手方向）を指す。
【００４２】
また、本実施形態で用いられる粘着フィルムの素材及び粘着フィルムをラミネートする領域は、包装用気泡シート体で説明したものと同様であるため、説明を省略する。
【００４３】
最後に、このような包装用気泡ボード体を用いて作られる包装用箱についても、包装用箱の構造、その組立方法、及びこの包装用箱を用いた包装方法に関して、包装用気泡シート体を用いて作られる包装用箱と同様であるため、説明を省略する。
【００４４】
このように、本実施形態の変形例に係る包装用気泡ボード体は、キャップシート、バックシート、ライナーシートからなる３層の気泡ボードを主体に構成され、この気泡ボードにおける平坦なシートの一方または両方に、その流れ方向に沿って、前記気泡ボードより小さい巾の粘着フィルムを１本または複数本ラミネートされているので、気泡ボードの全領域に粘着フィルムを有していなくとも、また、巾方向に沿って粘着フィルムを有していなくとも、被包装物を包装することができる。また、粘着フィルムの粘着層が被包装物に触れることなく包装し得るため、被包装物に粘着剤が付着する心配もなくなり、粘着剤の成分による被包装物の変化や被包装物を取り出す時の気泡ボードの破損を防ぐこともできる。
【００４５】
バックシート及びライナーシートのいずれの面に粘着フィルムをラミネートするか、つまり、バックシート及びライナーシートのいずれの面に被包装物を配置させるかを選択することができ、その選択を被包装物の性質等により行うことが可能となる。また、バックシート及びライナーシートの材料を適宜選択することができるため、再生材料を使用する場合であっても、必要な面に新しい合成樹脂層を位置させることができる。そのため、安全性を高めることが容易であり、品質保証を行なうことも可能になる。
【００４６】
さらに、気泡ボードの主材料としてポリプロピレンを用いて、気泡シートよりも剛性を持たせたものであるため、外部の衝撃等から被包装物をより頑丈に保護することができる。
【００４７】
また、気泡ボードの巾寸法が１２００ｍｍに対して粘着フィルムの巾寸法が５０ｍｍとしており、ラミネート領域の割合が全領域の約４％であるので、粘着フィルムの粘着層が被包装物に触れてしまう可能性がほとんどなく、また、被包装物を包装するのに必要な粘着力が得られる。さらに、粘着剤の塗布に比べて比較的高価な粘着フィルムのラミネート領域を最小限に抑えることができるので、経済的な優位性も得られる。
【００４８】
また、気泡ボードの主材料としてポリプロピレンを用いて、気泡シートよりも剛性を持たせたものであるため、このような包装用気泡ボード体を用いて、必要な部分に粘着フィルムが配置される包装用箱に容易に加工することができる。つまり、流れ方向に沿って１本粘着フィルムがラミネートされた気泡シートを打ち抜き、箱の蓋部といった粘着要素が必要な所にのみ粘着フィルムが配置され、それぞれの収容空間に粘着フィルムが露出しない加工品を作ることができる。このような包装用箱は、気泡シート体で作った箱よりも剛性を有するため、被包装物の内容や箱の使用方法によって気泡ボード体で作る方が好適な場合に有効である。
【００４９】
本実施例では、気泡シート２または気泡ボードの流れ方向に沿って１本のみ粘着フィルム３をラミネートしたものを示したが、図６に示すように、流れ方向に沿って複数本の粘着フィルム３を並べてラミネートしたものであってもよい。ラミネート作業後に流れ方向に沿ってスリット加工をすれば、特に効率的に複数の気泡シート体を製造することができる。
【００５０】
また、本発明の包装用気泡シート体のさらに他の例として、図７ないし図９に示されるものも考えられる。図７に示される包装用気泡シート体１は、キャップフィルム２Ｃ、バックフィルム２Ｂ、ライナーフィルム２Ｌからなる３層の気泡シート２におけるバックフィルム２Ｂ側に、その流れ方向に沿って、前記気泡シート２より小さい巾の粘着フィルム３を両側縁に沿って２本ラミネートし、さらにその２本の粘着フィルム３を架け渡すように巾方向に沿って一定間隔をもって、ホットメルトＨを帯状に塗布している。
【００５１】
このようなものであれば、本発明の包装用気泡シート体１を、例えば大型機械等の梱包や養生シートとして長尺で用いる場合に好適である。なお、この場合に用いる粘着剤としてはホットメルトＨに限られず種々変更可能であるが、ホットメルトＨを用いれば他の粘着剤に比べて毒性が小さく、また熱を加えない状態で比較的取扱い易いため好ましい。
【００５２】
なお、ホットメルトＨの塗布パターンは、図７に示すような帯状のものに限られず、図８に示すような点状または図９に示すようなスパイラル状の他種々変更可能である。
【００５３】
以上のようなホットメルトの塗布は、同様に気泡ボード体にも適用することにより、気泡シート体の場合と同様の効果が得られる。すなわち、包装用気泡ボード体は、例えば、キャップシート、バックシート、ライナーシートからなる３層の気泡ボードにおけるバックシート側に、その流れ方向に沿って、前記気泡ボードより小さい巾の粘着フィルムを両側縁に沿って２本ラミネートし、さらにその２本の粘着フィルムを架け渡すように巾方向に沿って一定間隔をもって、ホットメルトを帯状に塗布するものを挙げることができる。
【００５４】
気泡シートとしては、上述したような主原料としてポリエチレンを用いたものに替えて、折り曲げ箇所の多い包装態様においてその折り曲げに耐え得るように、ポリオレフィンのうちヒンジ特性の良好なポリプロピレンを用いることもできる。この他にも、エチレン‐酢酸ビニル共重合体、ナイロンそのほか多種類のプラスチックが使用できる。
【００５５】
また、気泡シート２または気泡ボードが３層のものである場合、ライナーフィルム２Ｌまたはライナーシートに粘着フィルム３をラミネートするものであってもよく、また、バックフィルム２Ｂ若しくはバックシート、またはライナーフィルム２Ｌ若しくはライナーシートのいずれかに一方のみに粘着フィルム３をラミネートする場合に限らず、バックフィルム２Ｂまたはバックシート及びライナーフィルム２Ｌまたはライナーシートの両方に粘着フィルム３をラミネートするものであってもよい。
【００５６】
粘着フィルム３のラミネートの対象となる気泡シート２は、３層のものに限られず、キャップフィルム２Ｃ及びバックフィルム２Ｂからなる２層構造のものであってもよい。この場合、平坦な面を有する前記バックフィルム２Ｂに粘着フィルム３をラミネートすることとなる。
【００５７】
さらに、１本または複数本の気泡シート２または気泡ボードより小さい巾の粘着フィルム３をラミネートするにあたって、気泡シート２または気泡ボードの流れ方向に沿ってラミネートする場合に限らず、気体シート体または気泡ボード体の巾方向に沿ってラミネートするものであってもよい。
【００５８】
その他、各部の具体的構成についても上記実施形態に限られるものではなく、本発明の趣旨を逸脱しない範囲で種々変形が可能である。
【図面の簡単な説明】
【００５９】
【図１】本発明の実施形態に係る包装用気泡シート体を示す部分平面図。
【図２】同実施形態に係る包装用気泡シート体を示すＡ‐Ａ線断面図。
【図３】同実施形態に係る包装用気泡シート体を用いた包装の一態様を示す概略説明図。
【図４】同包装の他の態様を示す概略説明図。
【図５】同包装のさらに他の態様を示す概略説明図。
【図６】本発明の他の実施形態を示す部分平面図。
【図７】本発明のさらに他の実施形態を示す部分平面図。
【図８】本発明のさらに他の実施形態の変形例を示す部分平面図。
【図９】本発明のさらに他の実施形態の変形例を示す部分平面図。
【符号の説明】
【００６０】
１…包装用気泡シート体
２…気泡シート
２Ｃ…キャップフィルム
２Ｂ…バックフィルム
２Ｌ…ライナーフィルム
３…粘着フィルム
４…ラミネート領域
７…包装用袋
８…包装用箱
７４、８５…収容空間
９…被包装物
【図１】
2010111409.tif 000003
【図２】
2010111409.tif 000004
【図３】
2010111409.tif 000005
【図４】
2010111409.tif 000006
【図５】
2010111409.tif 000007
【図６】
2010111409.tif 000008
【図７】
2010111409.tif 000009
【図８】
2010111409.tif 000010
【図９】
2010111409.tif 000011